(57)【要約】【課題】    投影画像における画素の見え方を任意に変更可能とするとともに、輝度低下や輝度むらの少ない投影画像を形成できるプロジェクタを提供する。【解決手段】プロジェクタは、光源装置から射出される光束の照明光軸上で光変調装置の光路後段に配置され、光源装置から射出される光束の入射方向と交差する方向に移動自在に構成される複屈折性部材６３，６４を備える。これら複屈折性部材６３，６４は、照明光軸上の所定位置に配置した状態で、その光学軸６２Ａが光源装置から射出される光束の入射方向およびこの入射方向に直交する方向に対して傾斜するとともに、照明光軸方向の厚み寸法が移動方向に沿って異なるように形成されている。【選択図】 図２
2005266466.tif 000002
【特許請求の範囲】
【請求項１】
光源装置と、この光源装置から射出される光束を画像情報に応じて変調する光変調装置と、この光変調装置にて変調された光束を拡大投射する投射光学装置とを備えたプロジェクタであって、
前記光源装置から射出される光束の照明光軸上で前記光変調装置の光路後段に配置され、前記光源装置から射出される光束の入射方向と交差する方向に移動自在に構成される複屈折性部材を備え、
前記複屈折性部材は、前記照明光軸上の所定位置に配置した状態で、その光学軸が前記光源装置から射出される光束の入射方向およびこの入射方向に直交する方向に対して傾斜するとともに、前記照明光軸方向の厚み寸法が前記移動方向に沿って異なるように形成されていることを特徴とするプロジェクタ。
【請求項２】
請求項１に記載のプロジェクタにおいて、
前記複屈折性部材は、少なくとも２体で構成され、前記照明光軸上の所定位置に配置した状態で、光路最前段に配置される複屈折性部材の光束入射側端面、および光路最後段に配置される複屈折性部材の光束射出側端面が平行となるように並列配置し、
前記少なくとも２体の複屈折性部材のうち少なくともいずれかの複屈折性部材は、前記移動方向に沿って移動自在に構成されていることを特徴とするプロジェクタ。
【請求項３】
請求項２に記載のプロジェクタにおいて、
前記複屈折性部材は、それぞれ同一方向の前記光学軸を有し、光束入射側に配置され光束入射側端面が前記照明光軸と直交する第１複屈折性部材、および光束射出側に配置され光束射出側端面が前記照明光軸と直交する第２複屈折性部材の２体で構成され、
前記第１複屈折性部材の光束射出側端面、および前記第２複屈折性部材の光束入射側端面は、前記照明光軸上の所定位置に配置した状態で、前記照明光軸に直交する平面に対してそれぞれ同一方向に傾斜して互いに当接し、
前記第１複屈折性部材および前記第２複屈折性部材のうち少なくともいずれかの複屈折性部材は、前記当接する端面に沿って移動自在に構成されていることを特徴とするプロジェクタ。
【請求項４】
請求項３に記載のプロジェクタにおいて、
前記第１複屈折性部材および前記第２複屈折性部材の前記光学軸は、前記照明光軸上の所定位置に配置した状態で、前記光源装置から射出される光束の入射方向、および前記移動方向を含む平面内で前記入射方向に対して４５°傾斜していることを特徴とするプロジェクタ。
【請求項５】
請求項１に記載のプロジェクタにおいて、
前記複屈折性部材は、前記照明光軸上の所定位置に配置した状態で、光束入射側に配置され光束入射側端面が前記照明光軸と直交し前記光学軸を有する第１複屈折性部材、および、光束射出側に配置され光束射出側端面が前記照明光軸と直交し光学軸が存在しない第１透光性部材の２体で構成され、
前記第１複屈折性部材の光束射出側端面、および前記第１透光性部材の光束入射側端面は、前記照明光軸上の所定位置に配置した状態で、前記照明光軸に直交する平面に対してそれぞれ同一方向に傾斜して互いに当接し、
前記第１複屈折性部材は、前記当接する端面に沿って移動自在に構成されていることを特徴とするプロジェクタ。
【請求項６】
請求項２に記載のプロジェクタにおいて、
前記複屈折性部材は、光束入射側に配置され光束入射側端面が前記照明光軸と直交する第１複屈折性部材、前記第１複屈折性部材の光路後段に配置される第２複屈折性部材、前記第２複屈折性部材の光路後段に配置され光束入射側端面が前記第２複屈折性部材の光束射出側端面と当接する第３複屈折性部材、および、前記第３複屈折性部材の光路後段に配置され光束射出側端面が前記照明光軸と直交する第４複屈折性部材の４体で構成され、
前記第１複屈折性部材の光束射出側端面、前記第２複屈折性部材の光束入射側端面、前記第３複屈折性部材の光束射出側端面、および前記第４複屈折性部材の光束入射側端面は、前記照明光軸上の所定位置に配置した状態で、前記照明光軸に直交する平面に対してそれぞれ同一方向に傾斜し、
前記第２複屈折性部材および前記第３複屈折性部材は、それぞれ異なる方向の前記光学軸を有し、互いに一体化して前記第１複屈折性部材の光束射出側端面、および前記第４複屈折性部材の光束入射側端面の傾斜方向に移動自在に構成されていることを特徴とするプロジェクタ。
【請求項７】
請求項６に記載のプロジェクタにおいて、
前記第１複屈折性部材および前記第２複屈折性部材の前記光学軸は、前記照明光軸上の所定位置に配置した状態で、それぞれ同一方向に設定され、前記光源装置から射出される光束の入射方向、および前記移動方向を含む平面内で前記入射方向に対して４５°傾斜し、
前記第３複屈折性部材および前記第４複屈折性部材の前記光学軸は、前記照明光軸上の所定位置に配置した状態で、それぞれ同一方向に設定され、前記光源装置から射出される光束の入射方向、および前記移動方向を含む平面内で前記第１複屈折性部材および前記第２複屈折性部材の前記光学軸に対して直交していることを特徴とするプロジェクタ。
【請求項８】
請求項１に記載のプロジェクタにおいて、
前記複屈折性部材は、前記照明光軸上の所定位置に配置した状態で、光束入射側に配置され光束入射側端面が前記照明光軸と直交し前記光学軸を有する第１複屈折性部材、前記第１複屈折性部材の光路後段に配置され光束射出側端面が前記照明光軸と直交し前記光学軸を有する第２複屈折性部材、前記第２複屈折性部材の光路後段に配置され光束入射側端面が前記照明光軸と直交し光学軸が存在しない第１透光性部材、および、前記第１透光性部材の光路後段に配置され光束射出側端面が前記照明光軸と直交し光学軸が存在しない第２透光性部材の４体で構成され、
前記第１複屈折性部材の光束射出側端面、前記第２複屈折性部材の光束入射側端面、前記第１透光性部材の光束射出側端面、および前記第２透光性部材の光束入射側端面は、前記照明光軸上の所定位置に配置した状態で、前記照明光軸に直交する平面に対してそれぞれ同一方向に傾斜し、
前記第２複屈折性部材および前記第１透光性部材は、互いに一体化して前記第１複屈折性部材の光束射出側端面、および前記第２透光性部材の光束入射側端面の傾斜方向に移動自在に構成されていることを特徴とするプロジェクタ。
【請求項９】
請求項１から請求項８のいずれかに記載のプロジェクタにおいて、
前記光変調装置は、複数で構成され、
前記複数の光変調装置にて変調された各光束を合成して射出する色合成光学装置を備え、
前記複屈折性部材は、前記色合成光学装置の光路後段に配置されていることを特徴とするプロジェクタ。
【請求項１０】
請求項９に記載のプロジェクタにおいて、
前記色合成光学装置および前記複屈折性部材の間には、波長板が介在配置されていることを特徴とするプロジェクタ。
【請求項１１】
請求項１から請求項１０のいずれかに記載のプロジェクタにおいて、
前記画像情報、および／または、外部から設定入力される設定入力情報に基づいて、前記複屈折性部材を前記移動方向に移動させる制御装置を備えていることを特徴とするプロジェクタ。
【発明の詳細な説明】
【技術分野】
【０００１】
本発明は、プロジェクタに関する。
【背景技術】
【０００２】
従来、光源から射出される光束を画像情報に応じて変調して光学像を形成する光変調素子と、この光変調素子にて変調された光束を拡大投射する投射光学装置とを備えたプロジェクタが知られている。
このうち、光変調装置としては、例えば、一対の基板間に液晶等の電気光学材料が密閉封入されたアクティブマトリックス駆動方式の光変調素子が一般的に採用される。具体的に、この光変調素子を構成する一対の基板は、液晶に駆動電圧を印加するためのデータ線、走査線、スイッチング素子、画素電極等が形成された駆動基板と、共通電極、ブラックマトリックス等が形成された対向基板とで構成されている。
このようなプロジェクタにおいて、投射光学装置から投射される投影画像は、ブラックマトリックス等の非表示画素部分における継ぎ目の存在により、画素の離散的な配列が目立ち、モザイク状の点描画的画像となる。
【０００３】
近年では、以下に示すように、上述したモザイク状の点描画的画像を、ブラックマトリックス等の非表示画素部分の継ぎ目のない連続的な画像にする光学装置が提案されている（例えば、特許文献１参照）。
この光学装置は、光学的に透明で強誘電液晶等からなるスイッチ型の位相変調光学素子と光学的に透明な複屈折光学素子とからなるウォブリング素子を複数積層した構造を有している。
そして、位相変調光学素子の動作を切り替えることで、複屈折光学素子を通過する光の偏光方向が直交方向に交互に切り替わり、位相変調光学素子および複屈折光学素子を経て射出される光の光路が所定の寸法だけずれることとなる。これにより、投影画像において、非表示画素部分が埋められ、モザイク状の点描画的画像を継ぎ目のない連続的な画像としている。
【０００４】
【特許文献１】特開平７−３６０５４号公報
【発明の開示】
【発明が解決しようとする課題】
【０００５】
ところで、プロジェクタにて投射される投影画像の画質は、観察者の好みがあり、画素が１つ１つ見えてもくっきりした投影画像を好む人と、多少ボケ気味に見えても画素が見えない連続した投影画像を好む人がいる。
しかしながら、特許文献１に記載のプロジェクタでは、位相変調光学素子および複屈折光学素子を経て射出される光の光路のずれ量が所定量に設定されているため、投影画像における画素の見え方を観察者の好みに応じて任意に変更することができない、という問題がある。
また、特許文献１に記載のプロジェクタでは、ある程度以上の透過率低下を避けることができず、透過率むらの発生も回避できないので、投影画像の輝度低下や輝度むらが不可避的に発生する。
【０００６】
本発明の目的は、投影画像における画素の見え方を任意に変更可能とするとともに、輝度低下や輝度むらの少ない投影画像を形成できるプロジェクタを提供することにある。
【課題を解決するための手段】
【０００７】
本発明のプロジェクタは、光源装置と、この光源装置から射出される光束を画像情報に応じて変調する光変調装置と、この光変調装置にて変調された光束を拡大投射する投射光学装置とを備えたプロジェクタであって、前記光源装置から射出される光束の照明光軸上で前記光変調装置の光路後段に配置され、前記光源装置から射出される光束の入射方向と交差する方向に移動自在に構成される複屈折性部材を備え、前記複屈折性部材は、前記照明光軸上の所定位置に配置した状態で、その光学軸が前記光源装置から射出される光束の入射方向およびこの入射方向に直交する方向に対して傾斜するとともに、前記照明光軸方向の厚み寸法が前記移動方向に沿って異なるように形成されていることを特徴とする。
ここで、複屈折性部材の配置位置は、光変調装置の光路後段であれば、いずれの位置でもよく、例えば、光変調装置と投射光学装置との間に配置してもよく、投射光学装置の光路後段に配置してもよい。
本発明では、プロジェクタを構成する複屈折性部材は、光源装置から射出される光束の入射方向、およびこの入射方向に直交する方向に対して傾斜した光学軸を有する。このため、光変調装置から射出された光束は、複屈折性部材を透過する際、屈折する角度の異なる常光線および異常光線に分離される。このことにより、光変調装置がブラックマトリックス等を有し離散的な画素からなる場合であっても、光変調装置から射出される光束を複屈折性部材を透過させることで、画素の隙間を埋めるような画素ずらしを生じさせることができるだけでなく、継ぎ目のないあるいは目立たない連続的な滑らかな画像を安定した状態で投射できるとともに、輝度低下や輝度むらの少ない投影画像を形成できる。
また、複屈折性部材は、光源装置から射出される光束の入射方向と交差する方向に移動自在に構成され、照明光軸方向の厚み寸法が移動方向に沿って異なるように形成されている。このため、例えば、複屈折性部材を移動させ、該複屈折性部材を照明光軸位置の厚み寸法が小さい位置となる状態とした場合には、複屈折性部材内を屈折して進む光束、例えば異常光線の光路長が短くなる。また、例えば、複屈折性部材を移動させ、該複屈折性部材を照明光軸位置の厚み寸法が大きい位置となる状態とした場合には、複屈折性部材内を屈折して進む光束、例えば異常光線の光路長が長くなる。したがって、複屈折性部材を移動させることで複屈折性部材からの例えば異常光線の射出位置がずれ、常光線および異常光線の分離幅が可変となる。このため、光変調装置がブラックマトリックス等を有し離散的な画素からなる場合であっても、複屈折性部材を移動させることで画素のずれ幅が可変となり、投影画像における画素の見え方を任意に変更可能とする。
【０００８】
本発明のプロジェクタでは、前記複屈折性部材は、少なくとも２体で構成され、前記照明光軸上の所定位置に配置した状態で、光路最前段に配置される複屈折性部材の光束入射側端面、および光路最後段に配置される複屈折性部材の光束射出側端面が平行となるように並列配置し、前記少なくとも２体の複屈折性部材のうち少なくともいずれかの複屈折性部材は、前記移動方向に沿って移動自在に構成されていることが好ましい。
ここで、少なくとも２体の複屈折性部材は、それぞれ同一方向の光学軸を有する構成としてもよく、少なくともいずれかの複屈折性部材の光学軸が他の複屈折性部材の光学軸と異なるように構成してもよい。
また、少なくとも２体の複屈折性部材の配置状態は、照明光軸上の所定位置に配置されていればよく、例えば、互いに当接した状態、互いに離間した状態のいずれの配置状態でも構わない。
さらに、少なくとも２体の複屈折性部材の形状は、全て同一の形状とする構成に限らず、少なくともいずれかの複屈折性部材の形状が他の複屈折性部材の形状と異なるように構成してもよい。
本発明によれば、複屈折性部材が少なくとも２体で構成され、光路最前段に配置される複屈折性部材の光束入射側端面、および光路最後段に配置される複屈折性部材の光束射出側端面が平行となるように並列配置しているので、複屈折性部材に入射した光束と、複屈折性部材から射出される光束とを同一方向に設定できる。したがって、汎用のプロジェクタにおいて、光変調装置、および投射光学装置等のレイアウトを変更することなく、光源装置から射出される照明光軸上で光変調装置の光路後段に複屈折性部材を配置するだけで本発明の目的を達成できる。
【０００９】
本発明のプロジェクタでは、前記複屈折性部材は、それぞれ同一方向の前記光学軸を有し、光束入射側に配置され光束入射側端面が前記照明光軸と直交する第１複屈折性部材、および光束射出側に配置され光束射出側端面が前記照明光軸と直交する第２複屈折性部材の２体で構成され、前記第１複屈折性部材の光束射出側端面、および前記第２複屈折性部材の光束入射側端面は、前記照明光軸上の所定位置に配置した状態で、前記照明光軸に直交する平面に対してそれぞれ同一方向に傾斜して互いに当接し、前記第１複屈折性部材および前記第２複屈折性部材のうち少なくともいずれかの複屈折性部材は、前記当接する端面に沿って移動自在に構成されていることが好ましい。
本発明によれば、第１複屈折性部材の光束入射側端面、および第２複屈折性部材の光束射出側端面が照明光軸と直交しているので、第１複屈折性部材および第２複屈折性部材のうち少なくともいずれかの複屈折性部材を移動して複屈折性部材全体での照明光軸位置の厚み寸法を変更することで、複屈折性部材からの異常光線の射出位置をずらし、光変調装置から射出される光束の分離幅を変更することができる。
また、複屈折性部材が第１複屈折性部材および第２複屈折性部材の２体で構成されているので、最低限の個数で、複屈折性部材に入射した光束と複屈折性部材から射出される光束とを同一方向に設定できる。
さらに、第１複屈折性部材および第２複屈折性部材がそれぞれ同一方向の光学軸を有し、第１複屈折性部材の光束射出側端面、および第２複屈折性部材の光束入射側端面が照明光軸に直交する平面に対してそれぞれ同一方向に傾斜しているので、１つの複屈折性部材を所定の平面で分割することで、第１複屈折性部材および第２複屈折性部材を容易に製造できる。
さらにまた、第１複屈折性部材の光束射出側端面、および第２複屈折性部材の光束入射側端面が互いに当接するので、複屈折性部材をコンパクトにまとめることができるとともに、第１複屈折性部材および第２複屈折性部材のうち少なくともいずれかの複屈折性部材を当接する端面に沿って容易に移動できる。
また、第１複屈折性部材および第２複屈折性部材の光学軸がそれぞれ同一方向であるので、複屈折性部材をコンパクトにまとめつつ、可変とする光束の分離幅を大きく設定できる。
【００１０】
本発明のプロジェクタでは、前記第１複屈折性部材および前記第２複屈折性部材の前記光学軸は、前記照明光軸上の所定位置に配置した状態で、前記光源装置から射出される光束の入射方向、および前記移動方向を含む平面内で前記入射方向に対して４５°傾斜していることが好ましい。
本発明によれば、第１複屈折性部材および第２複屈折性部材の光学軸は、光源装置から射出される光束の入射方向、および移動方向を含む平面内に含まれるので、第１複屈折性部材および第２複屈折性部材のうち少なくともいずれかの移動方向と略同一方向に、光変調装置から射出される光束を分離できる。すなわち、第１複屈折性部材および第２複屈折性部材のうち少なくともいずれかの移動方向と画素のずれ方向とを略同一方向とすることができ、複屈折性部材の移動量と画素ずらし量との関係を認識しやすく、複屈折性部材の設計を容易とする。また、光束の入射方向に対して４５°傾斜しているので、光変調装置から射出される光束を良好に分離できる。
【００１１】
本発明のプロジェクタでは、前記複屈折性部材は、前記照明光軸上の所定位置に配置した状態で、光束入射側に配置され光束入射側端面が前記照明光軸と直交し前記光学軸を有する第１複屈折性部材、および、光束射出側に配置され光束射出側端面が前記照明光軸と直交し光学軸が存在しない第１透光性部材の２体で構成され、前記第１複屈折性部材の光束射出側端面、および前記第１透光性部材の光束入射側端面は、前記照明光軸上の所定位置に配置した状態で、前記照明光軸に直交する平面に対してそれぞれ同一方向に傾斜して互いに当接し、前記第１複屈折性部材は、前記当接する端面に沿って移動自在に構成されていることが好ましい。
本発明では、複屈折性部材を、上述のように第１複屈折性部材および第１透光性部材の２体で構成した場合でも、上述のように複屈折性部材を第１複屈折性部材および第２複屈折性部材の２体で構成した場合と略同様の作用・効果を享受できる。
【００１２】
本発明のプロジェクタでは、前記複屈折性部材は、光束入射側に配置され光束入射側端面が前記照明光軸と直交する第１複屈折性部材、前記第１複屈折性部材の光路後段に配置る第２複屈折性部材、前記第２複屈折性部材の光路後段に配置され光束入射側端面が前記第２複屈折性部材の光束射出側端面と当接する第３複屈折性部材、および、前記第３複屈折性部材の光路後段に配置され光束射出側端面が前記照明光軸と直交する第４複屈折性部材の４体で構成され、前記第１複屈折性部材の光束射出側端面、前記第２複屈折性部材の光束入射側端面、前記第３複屈折性部材の光束射出側端面、および前記第４複屈折性部材の光束入射側端面は、前記照明光軸上の所定位置に配置した状態で、前記照明光軸に直交する平面に対してそれぞれ同一方向に傾斜し、前記第２複屈折性部材および前記第３複屈折性部材は、それぞれ異なる方向の前記光学軸を有し、互いに一体化して前記第１複屈折性部材の光束射出側端面、および前記第４複屈折性部材の光束入射側端面の傾斜方向に移動自在に構成されていることが好ましい。
本発明によれば、第１複屈折性部材の光束射出側端面、第２複屈折性部材の光束入射側端面、第３複屈折性部材の光束射出側端面、および第４複屈折性部材の光束入射側端面は、平行配置され、第２複屈折性部材および第３複屈折性部材がこれら端面の傾斜方向に沿って移動自在に構成されているので、第１複屈折性部材および第４複屈折性部材に対して第２複屈折性部材および第３複屈折性部材を移動した場合であっても、複屈折性部材全体での照明光軸位置の厚み寸法を同一の状態で維持できる。
また、第２複屈折性部材および第３複屈折性部材の光学軸は、それぞれ異なる方向に設定されている。このことにより、第２複屈折性部材および第３複屈折性部材を第１複屈折性部材および第４複屈折性部材に対して移動させることで、第１複屈折性部材内にて分離される常光線または異常光線において、第２複屈折性部材を透過する際の光路長が異なるものとなるとともに、第３複屈折性部材を透過する際の光路長も異なるものとなり、第４複屈折性部材からの光束の射出位置をずらし、光変調装置から射出される光束の分離幅を変更することができる。
ここで、例えば、第２複屈折性部材および第３複屈折性部材の光学軸を、第１複屈折性部材内にて常光線となる光束に対して、第２複屈折性部材および第３複屈折性部材内にて常光線として同様に透過させるように設定すれば、第２複屈折性部材および第３複屈折性部材を第１複屈折性部材および第４複屈折性部材に対して移動させた場合でも、第２複屈折性部材および第３複屈折性部材を透過する際の常光線の光路長が変化することがない。このため、複屈折性部材を例えば光変調装置と投射光学装置との間に配置し、第２複屈折性部材および第３複屈折性部材を第１複屈折性部材および第４複屈折性部材に対して移動させた場合であっても、常光線の光路長が変化することなく、投射光学装置に対する光変調装置のバックフォーカス位置が変更されず、投射光学装置にてフォーカス状態の良好な画像を投影できる。
【００１３】
本発明のプロジェクタでは、前記第１複屈折性部材および前記第２複屈折性部材の前記光学軸は、それぞれ同一方向に設定され、前記照明光軸上の所定位置に配置した状態で、前記光源装置から射出される光束の入射方向、および前記移動方向を含む平面内で前記入射方向に対して４５°傾斜し、前記第３複屈折性部材および前記第４複屈折性部材の前記光学軸は、それぞれ同一方向に設定され、前記照明光軸上の所定位置に配置した状態で、前記光源装置から射出される光束の入射方向、および前記移動方向を含む平面内で前記第１複屈折性部材および前記第２複屈折性部材の前記光学軸に対して直交していることが好ましい。
本発明によれば、第１複屈折性部材、第２複屈折性部材、第３複屈折性部材、および第４複屈折性部材の光学軸は、光源装置から射出される光束の入射方向、および前記移動方向を含む平面内に含まれるので、第２複屈折性部材および第３複屈折性部材の移動方向と略同一方向に、光変調装置から射出される光束を分離できる。すなわち、第２複屈折性部材および第３複屈折性部材の移動方向と画素のずれ方向とを略同一方向とすることができ、複屈折性部材の移動量と画素ずらし量との関係を認識しやすく、複屈折性部材の設計を容易とする。また、第１複屈折性部材および第２複屈折性部材の光学軸が光束の入射方向に対して４５°傾斜し、前記第３複屈折性部材および前記第４複屈折性部材の光学軸と直交するので、光変調装置から射出される光束を良好に分離できる。
【００１４】
本発明のプロジェクタでは、前記複屈折性部材は、前記照明光軸上の所定位置に配置した状態で、光束入射側に配置され光束入射側端面が前記照明光軸と直交し前記光学軸を有する第１複屈折性部材、前記第１複屈折性部材の光路後段に配置され光束射出側端面が前記照明光軸と直交し前記光学軸を有する第２複屈折性部材、前記第２複屈折性部材の光路後段に配置され光束入射側端面が前記照明光軸と直交し光学軸が存在しない第１透光性部材、および、前記第１透光性部材の光路後段に配置され光束射出側端面が前記照明光軸と直交し光学軸が存在しない第２透光性部材の４体で構成され、前記第１複屈折性部材の光束射出側端面、前記第２複屈折性部材の光束入射側端面、前記第１透光性部材の光束射出側端面、および前記第２透光性部材の光束入射側端面は、前記照明光軸上の所定位置に配置した状態で、前記照明光軸に直交する平面に対してそれぞれ同一方向に傾斜し、前記第２複屈折性部材および前記第１透光性部材は、互いに一体化して前記第１複屈折性部材の光束射出側端面、および前記第２透光性部材の光束入射側端面の傾斜方向に移動自在に構成されていることが好ましい。
本発明では、複屈折性部材を、上述のように第１複屈折性部材、第２複屈折性部材、第１透光性部材、および第２透光性部材の４体で構成した場合でも、上述のように複屈折性部材を第１複屈折性部材、第２複屈折性部材、第３複屈折性部材、および第４複屈折性部材の４体で構成した場合と略同様の作用・効果を享受できる。
【００１５】
本発明のプロジェクタでは、前記光変調装置は、複数で構成され、前記複数の光変調装置にて変調された各光束を合成して射出する色合成光学装置を備え、前記複屈折性部材は、前記色合成光学装置の光路後段に配置されていることが好ましい。
本発明によれば、プロジェクタが色合成光学装置を備え、複屈折性部材が色合成光学装置の光路後段に配置されるので、光変調装置が複数で構成され、各光変調装置が離散的な画素からなる場合であっても、複屈折性部材を１つのみ設けるだけで、投影されるカラー画像における画素の見え方を任意に変更可能とする。また、このような構成とすることで、各光変調装置と色合成光学装置との間にそれぞれ複屈折性部材を設ける構成と比較して、部材を省略でき、プロジェクタの小型化も図れる。
【００１６】
本発明のプロジェクタでは、前記色合成光学装置および前記複屈折性部材の間には、波長板が介在配置されていることが好ましい。
本発明によれば、色合成光学装置および複屈折性部材の間には、波長板が介在配置されているので、各光変調装置から射出され色合成光学装置を介し複屈折性部材に入射する各光束の偏光状態を所定の偏光状態に設定でき、複屈折性部材にて入射する各光束を良好に分離できる。
【００１７】
本発明のプロジェクタでは、前記画像情報、および／または、外部から設定入力される設定入力情報に基づいて、前記複屈折性部材を前記移動方向に移動させる制御装置を備えていることが好ましい。
本発明によれば、プロジェクタが制御装置を備えているので、例えば、光変調装置にて形成させる画像の特性、および／または、ユーザが設定入力した画素ずらし量に応じた適切な位置に複屈折性部材を自動的に移動させることができる。このため、プロジェクタの利便性の向上が図れる。
【発明を実施するための最良の形態】
【００１８】
[第１実施形態]
以下、本発明の第１実施形態を図面に基づいて説明する。
〔プロジェクタの構成〕
図１は、プロジェクタ１の概略構成を模式的に示す図である。なお、説明を簡略化するために、図１では、投射方向をＺ軸とし、これと直交する２軸、すなわち、図１の紙面と直交する方向をＸ軸、図１中、左右方向をＹ軸とするＸＹＺ直交座標系を採用する。
プロジェクタ１は、光源から射出される光束を画像情報に応じて変調して光学像を形成し、形成した光学像をスクリーン上に拡大投射するものである。このプロジェクタ１は、図１に示すように、所定の照明光軸Ａ上に配置される、インテグレータ照明光学系１０、色分離光学系２０、リレー光学系３０、光学装置４０、投射光学装置５０、および画質調整部６０と、ここでは図示しない制御装置８０とを備える。
インテグレータ照明光学系１０は、光学装置４０を構成する後述する液晶パネルの画像形成領域を略均一に照明するための光学系である。このインテグレータ照明光学系１０は、図１に示すように、光源装置１１と、第１レンズアレイ１２と、第２レンズアレイ１３と、偏光変換素子１４と、重畳レンズ１５とを備える。
【００１９】
光源装置１１は、放射状の光線を射出する光源ランプ１１１と、この光源ランプ１１１から射出された放射光を反射するリフレクタ１１２とを備える。光源ランプ１１１としては、ハロゲンランプやメタルハライドランプ、高圧水銀ランプが多用される。また、リフレクタ１１２としては、図１では、放物面鏡を採用しているが、これに限らず、楕円面鏡で構成し、光束射出側に該楕円面鏡により反射された光束を平行光とする平行化凹レンズを採用した構成としてもよい。
第１レンズアレイ１２は、光軸方向から見て略矩形状の輪郭を有する小レンズがマトリクス状に配列された構成を有している。各小レンズは、光源装置１１から射出される光束を、複数の部分光束に分割している。
第２レンズアレイ１３は、第１レンズアレイ１２と略同様な構成を有しており、小レンズがマトリクス状に配列された構成を有している。この第２レンズアレイ１３は、重畳レンズ１５とともに、第１レンズアレイ１２の各小レンズの像を光学装置４０の後述する液晶パネル上に結像させる機能を有している。
【００２０】
偏光変換素子１４は、第２レンズアレイ１３と重畳レンズ１５との間に配置され、第１レンズアレイ１２により分割された各部分光束の偏光方向を略一方向の直線偏光（例えば、Ｐ偏光光束）に揃える。
この偏光変換素子１４は、照明光軸Ａに対して傾斜配置される偏光分離膜および反射ミラーを交互に配列した構成を具備する。偏光分離膜は、各部分光束に含まれるＰ偏光光束およびＳ偏光光束のうち、一方の偏光光束を透過し、他方の偏光光束を反射する。反射された他方の偏光光束は、反射ミラーによって曲折され、一方の偏光光束の射出方向、すなわち照明光軸Ａに沿った方向に射出される。射出された偏光光束のいずれかは、偏光変換素子１４の光束射出面に設けられる位相差板によって偏光変換され、略全ての偏光光束の偏光方向が揃えられる。このような偏光変換素子１４を用いることにより、光源装置１１から射出される光束を、略一方向の偏光光束に揃えることができるため、光学装置４０で利用する光源光の利用率を向上することができる。
【００２１】
色分離光学系２０は、図１に示すように、２枚のダイクロイックミラー２１，２２と、反射ミラー２３とを備え、ダイクロイックミラー２１，２２によりインテグレータ照明光学系１０から射出された複数の部分光束を、赤、緑、青の３色の色光に分離する機能を有している。
リレー光学系３０は、図１に示すように、入射側レンズ３１、リレーレンズ３３、および反射ミラー３２，３４を備え、色分離光学系２０で分離された赤色光を光学装置４０の後述する赤色光用の液晶パネルまで導く機能を有している。
【００２２】
この際、色分離光学系２０のダイクロイックミラー２１では、インテグレータ照明光学系１０から射出された光束の青色光成分が反射するとともに、赤色光成分と緑色光成分とが透過する。ダイクロイックミラー２１によって反射した青色光は、反射ミラー２３で反射し、フィールドレンズ４１を通って光学装置４０の後述する青色光用の液晶パネルに達する。このフィールドレンズ４１は、第２レンズアレイ１３から射出された各部分光側をその中心軸（主光線）に対して平行な光束に変換する。他の緑色光用、赤色光用の液晶パネルの光入射側に設けられたフィールドレンズ４１も同様である。
【００２３】
ダイクロイックミラー２１を透過した赤色光と緑色光のうちで、緑色光はダイクロイックミラー２２によって反射し、フィールドレンズ４１を通って光学装置４０の後述する緑色光用の液晶パネルに達する。一方、赤色光はダイクロイックミラー２２を透過してリレー光学系３０を通り、さらにフィールドレンズ４１を通って光学装置４０の後述する赤色光用の液晶パネルに達する。なお、赤色光にリレー光学系３０が用いられているのは、赤色光の光路の長さが他の色光の光路の長さよりも長いため、光の発散等による光の利用効率の低下を防止するためである。すなわち、入射側レンズ３１に入射した部分光束をそのまま、フィールドレンズ４１に伝えるためである。
【００２４】
光学装置４０は、入射した光束を画像情報に応じて変調してカラー画像を形成するものである。この光学装置４０は、図１に示すように、光変調装置としての液晶パネル４２（赤色光用の液晶パネルを４２Ｒ、緑色光用の液晶パネルを４２Ｇ、青色光用の液晶パネルを４２Ｂとする）と、入射側偏光板４３と、射出側偏光板４４と、色合成光学装置としてのクロスダイクロイックプリズム４５とを備える。
液晶パネル４２は、具体的な図示は省略するが、ガラスなどからなる一対の基板に電気光学物質である液晶が密閉封入された構成を有している。一対の基板のうち、一方の基板は、液晶を駆動するための駆動基板であり、互いに平行に配列形成される複数のデータ線と、複数のデータ線と直交する方向に配列形成される複数の走査線と、走査線およびデータ線の交差に対応してマトリクス状に配列形成される画素電極と、データ線、走査線、および画素電極と電気的に接続されるＴＦＴ（Thin Film Transistor）あるいはＭＩＭ（Metal Insulator Metal）等のスイッチング素子とを有している。また、他方の基板は、一方の基板に対して所定間隔を空けて対向配置される対向基板であり、所定の電圧Ｖcomが印加される共通電極、および対向する一方の基板における複数のデータ線およびスイッチング素子を覆うようにマトリクス状に形成され複数のデータ線およびスイッチング素子に入射する光束を遮光するブラックマトリックスを有している。
【００２５】
入射側偏光板４３は、各フィールドレンズ４１および各液晶パネル４２の間にそれぞれ配置され、フィールドレンズ４１から射出される光束のうち、一定方向の偏光光（例えば、Ｐ偏光光束）のみ透過させ、その他の光束（例えば、Ｓ偏光光束）を吸収する。
射出側偏光板４４は、入射側偏光板４３と略同様な構成であり、各液晶パネル４２およびクロスダイクロイックプリズム４５間にそれぞれ配置される。この射出側偏光板４４は、入射側偏光板４３の偏光軸と略直交するように配置され、液晶パネル４２から射出される光束のうち、一定方向の偏光光（例えば、Ｓ偏光光束）のみ透過させ、その他の光束（例えば、Ｐ偏光光束）を吸収する。
クロスダイクロイックプリズム４５は、射出側偏光板４４から射出された色光毎に変調された光学像を合成してカラー画像を形成する光学素子である。このクロスダイクロイックプリズム４５は、４つの直角プリズムを貼り合わせた平面視略正方形状をなし、直角プリズム同士を貼り合わせた界面には、２つの誘電体多層膜が形成されている。これら誘電体多層膜は、液晶パネル４２Ｒ，４２Ｂから射出され射出側偏光板４４を介した色光を反射し、液晶パネル４２Ｇから射出され射出側偏光板４４を介した色光を透過する。このようにして、各液晶パネル４２Ｒ，４２Ｇ，４２Ｂにて変調された各色光が合成されてカラー画像が形成される。
なお、具体的な図示は省略するが、クロスダイクロイックプリズム４５の３つの光束入射側端面のうち、Ｇ色光側の光束入射側端面には、位相差板が貼り付けられ、前記位相差板によりＧ色光側の射出側偏光板４４から射出された偏光光（例えば、Ｓ偏光光束）の偏光状態が変更される（例えば、Ｐ偏光光束に変更される）。
【００２６】
投射光学装置５０は、複数のレンズが組み合わされた組レンズとして構成される。そして、この投射光学装置５０は、光学装置４０にて形成された光学像（カラー画像）を図示しないスクリーン上に拡大投射する。
画質調整部６０は、投射光学装置５０および光学装置４０を構成するクロスダイクロイックプリズム４５の間に配置され、プロジェクタ１にて形成する光学像の画質調整を可能とするものである。なお、画質調整部６０の詳細な構造については、後述する。
制御装置８０は、ユーザによる設定入力、外部から入力する映像信号等に応じて、画質調整部６０の後述する複屈折性部材を駆動制御するものである。なお、制御装置８０による詳細な制御構造については、画質調整部６０の詳細な構造を説明した後に、説明する。
【００２７】
〔画質調整部の構造〕
画質調整部６０は、図１に示すように、クロスダイクロイックプリズム４５の光路後段に配置される１／４波長板６１と、この１／４波長板６１の光路後段に配置される複屈折性部材６２とで構成される。
１／４波長板６１は、クロスダイクロイックプリズム４５から射出される光束の位相をπ／２ずらし、クロスダイクロイックプリズム４５から射出される直線偏光光束（例えば、Ｒ，Ｂ色光のＳ偏光光束、およびＧ色光のＰ偏光光束）を円偏光光束に変換するものである。
【００２８】
図２は、複屈折性部材６２の構造の一例を示す図である。なお、図２では、図１と同様に、ＸＹＺ直交座標系を採用する。具体的に、図２（Ａ）は、複屈折性部材６２を光束入射側から見た平面図である。図２（Ｂ）は、図２（Ａ）において、ＸＹ平面内における−Ｘ方向および＋Ｙ方向とそれぞれなす角度ＡＧ１，ＡＧ２が４５°となる方向Ｄ１から複屈折性部材６２を見た図である。
複屈折性部材６２は、１／４波長板６１から射出される光束を常光線および異常光線に分離して、画質調整を実施するものである。この複屈折性部材６２は、図２に示すように、照明光軸Ａ（Ｚ軸）と略同一方向の軸を有する円柱形状を有し、その光学軸６２Ａ（図２（Ｂ））が後述する矢印Ｄ３方向および照明光軸Ａを含む平面内で照明光軸Ａに対して４５°傾斜するように形成されている。そして、この複屈折性部材６２は、図２（Ｂ）に示すように、所定の平面で第１複屈折性部材６３および第２複屈折性部材６４の２体に分割されている。
【００２９】
第１複屈折性部材６３および第２複屈折性部材６４は、図２（Ｂ）に示すように、方向Ｄ１に直交する方向Ｄ２（図２（Ｂ）中、上下方向）に向かうにしたがって、照明光軸Ａ方向の厚み寸法が異なるくさび形状となるように分割形成されたものである。
そして、これら第１複屈折性部材６３および第２複屈折性部材６４は、図２（Ｂ）に示すように、互いの斜面６３Ａ，６４Ａに沿って、矢印Ｄ３方向に相対位置を変更可能に構成されている。
本実施形態では、第１複屈折性部材６３および第２複屈折性部材６４の双方が矢印Ｄ３方向に移動自在に構成されている。
また、第１複屈折性部材６３および第２複屈折性部材６４は、具体的な図示は省略するが、ステッピングモータ、パルスモータ等の駆動部により矢印Ｄ３方向に移動自在に構成されているものとする。なお、これら駆動部により第１複屈折性部材６３および第２複屈折性部材６４を自動で移動させる構成の他、手動にて第１複屈折性部材６３および第２複屈折性部材６４を移動させる構成を採用してもよい。
なお、本発明は、上述した構成に限らず、第１複屈折性部材６３および第２複屈折性部材６４が矢印Ｄ３方向に相対位置を変更可能とする構成であればよく、例えば、第１複屈折性部材６３に対して第２複屈折性部材６４のみを矢印Ｄ３方向に移動自在とする構成としてもよい。また、例えば、第２複屈折性部材６４に対して第１複屈折性部材６３を矢印Ｄ３方向に移動自在とする構成としてもよい。
【００３０】
〔制御装置の構造〕
図３は、制御装置８０による制御構造を模式的に示すブロック図である。
制御装置８０は、ユーザによる設定入力、外部から入力する映像信号等に応じて、画質調整部６０の第１複屈折性部材６３および第２複屈折性部材６４を駆動制御し、プロジェクタ１から投射される投影画像の画質調整を実施する。なお、図３では、説明を簡略化するために、本発明に係る画質調整をするための制御構造を主に図示し、その他の制御構造を省略している。
この制御装置８０は、図３に示すように、映像信号入力部８１と、制御部８２とを備える。
映像信号入力部８１は、各種外部機器から出力される映像信号を入力するものである。そして、例えば、パーソナルコンピュータからのデジタル画像信号、ビデオ再生装置等からのビデオ画像信号等が映像信号入力部８１を介して制御部８２に入力される。
【００３１】
制御部８２は、ＣＰＵ（Central Processing Unit）等の演算処理装置から構成され、図示しないＲＯＭ（Read Only Memory）等に格納される制御プログラムを読み込んで実行するものであり、液晶パネル４２の駆動制御、第１複屈折性部材６３および第２複屈折性部材６４の駆動制御を実施する機能を有している。この制御部８２は、図３に示すように、操作信号受付部８２１と、液晶パネル駆動制御部８２２と、複屈折性部材駆動制御部８２３とを備える。
操作信号受付部８２１は、プロジェクタ１の外面に設けられる操作パネル８２１Ａにてユーザが設定入力した情報に基づく操作信号を入力する部分である。ユーザが設定入力する情報としては、例えば、投影画像の画質調整を実施する旨の情報等がある。
【００３２】
液晶パネル駆動制御部８２２は、映像信号入力部８１から出力された映像信号に対して所定の処理を施し、処理を施した画像に対応する画像信号を各液晶パネル４２Ｒ，４２Ｇ，４２Ｂに出力して所定の光学像を形成させる。この液晶パネル駆動制御部８２２における前記所定の処理としては、例えば、拡大・縮小等の画像サイズ調整処理、台形歪補正処理、ガンマ補正処理等がある。これら各処理は、周知の技術であるので詳細な説明は省略する。
また、この液晶パネル駆動制御部８２２は、映像信号入力部８１から出力された映像信号の種類（デジタル画像信号、ビデオ画像信号）や、画像の種類（例えば白が支配的な画像であるか否か、スライド的な画像であるか否か等）に応じた信号を複屈折性部材駆動制御部８２３に出力する。
複屈折性部材駆動制御部８２３は、液晶パネル駆動制御部８２２から出力された信号、または、操作信号受付部８２１にて入力した操作信号に基づいて、駆動部８２３Ａに駆動信号を出力し、第１複屈折性部材６３および第２複屈折性部材６４を矢印Ｄ３方向に移動させる。
【００３３】
〔制御装置８０による画質調整制御〕
次に、制御装置８０にて画質調整を実施する制御動作を説明する。
図４および図５は、画質調整を実施する制御動作を説明するための図である。具体的に、図４（Ａ）は、常光線と異常光線との分離幅が小さくなる場合の複屈折性部材６２の状態を示す図である。図４（Ｂ）は、常光線と異常光線との分離幅が大きくなる場合の複屈折性部材６２の状態を示す図である。図４（Ｃ）は、ユーザによる設定入力に基づく画質調整制御を説明するための図である。また、図５は、投影画像の一部を拡大したものであり、図５（Ａ）、図５（Ｂ）、図５（Ｃ）は、図４（Ａ）、図４（Ｂ）、図４（Ｃ）のそれぞれの状態での投影画像における画素位置を示す図である。なお、図４は、異常光線の屈折率をｎｅ、常光線の屈折率をｎｏとした時、ｎｅ＞ｎｏの場合を示している。
制御装置８０による画質調整制御は、上述したように、外部機器から入力される映像信号に基づく画質調整制御、および、ユーザによる設定入力に基づく画質調整制御があり、以下では、２つの画質調整制御を順に説明する。
【００３４】
〔映像信号に基づく画質調整制御〕
例えば、外部機器から画像情報としての映像信号が制御装置８０に入力され、液晶パネル駆動制御部８２２にて映像信号の種類がデジタル画像信号であると判定された場合には、液晶パネル駆動制御部８２２から複屈折性部材駆動制御部８２３に所定の信号が出力される。そして、複屈折性部材駆動制御部８２３は、所定の駆動信号を駆動部８２３Ａに出力し、図４（Ａ）に示すように、複屈折性部材６２の斜面６３Ａ，６４Ａに沿って、第１複屈折性部材６３を矢印Ｒ３Ａ方向に、第２複屈折性部材６４を矢印Ｒ３Ｂ方向に移動させる。
この状態では、図４（Ａ）に示すように、第１複屈折性部材６３および第２複屈折性部材６４は、照明光軸Ａ方向の厚み寸法の小さい部分で相互に接続した状態となり、複屈折性部材６２全体での照明光軸Ａ位置の厚み寸法が小さい状態となる。
この状態において、１／４波長板６１から射出された円偏光光束の直交する２つの直線偏光成分は、常光線および異常光線として分離される。
具体的に、図４（Ａ）に示すように、２つの直線偏光成分のうち、その偏光面に複屈折性部材６２の光学軸６２Ａが含まれない直線偏光成分Ｓは、常光線となり、複屈折性部材６２内にて屈折することなく透過する。
一方、２つの直線偏光成分のうち、その偏光面に複屈折性部材６２の光学軸６２Ａが含まれる直線偏光成分Ｐは、異常光線となり、複屈折性部材６２内にて光学軸６２Ａ方向に屈折し第２複屈折性部材６４の光束射出側端面から直線偏光成分Ｓと平行するように射出される。
【００３５】
この状態では、上述したように、複屈折性部材６２の照明光軸Ａ方向の厚み寸法が小さいために、直線偏光成分Ｐの複屈折性部材６２を進む光路の長さが短く、直線偏光成分Ｓおよび直線偏光成分Ｐの分離幅Ｗ１（図４（Ａ））は小さいものとなる。
そして、この結果、投影画像は、図５（Ａ）に示すように、常光線に対応する画素ＰＸ０と異常光線に対応する画素ＰＸ１が略重畳し、液晶パネル４２の対向基板に形成されるブラックマトリックス領域ＢＡが消滅することなく、各画素ＰＸが離散的に配置され、クッキリとした高解像度感のある画像となる。
【００３６】
また、例えば、外部機器から映像信号が制御装置８０に入力され、液晶パネル駆動制御部８２２にて映像信号の種類がビデオ画像信号であると判定された場合には、液晶パネル駆動制御部８２２から複屈折性部材駆動制御部８２３に所定の信号が出力される。そして、複屈折性部材駆動制御部８２３は、所定の駆動信号を駆動部８２３Ａに出力し、図４（Ｂ）に示すように、第１複屈折性部材６３および第２複屈折性部材６４を上記と逆方向（矢印Ｒ３Ｂ，Ｒ３Ａ方向）にそれぞれ移動させる。
この状態では、図４（Ｂ）に示すように、第１複屈折性部材６３および第２複屈折性部材６４は、照明光軸Ａ方向の厚み寸法の大きい部分で相互に接続した状態となり、複屈折性部材６２全体での照明光軸Ａ位置の厚み寸法が大きい状態となる。このため、直線偏光成分Ｐの複屈折性部材６２を進む光路の長さが長く、直線偏光成分Ｓおよび直線偏光成分Ｐの分離幅Ｗ２（図４（Ｂ））は大きいものとなる。
【００３７】
そして、この結果、投影画像は、図５（Ｂ）に示すように、常光線に対応する画素ＰＸ０に対して異常光線に対応する画素ＰＸ１が、第１複屈折性部材６３および第２複屈折性部材６４の移動方向に、すなわち、斜め方向にずれた位置に形成され、ブラックマトリックス領域ＢＡを消しつつも高解像度を維持しつつ滑らかな画像となる。
すなわち、制御装置８０は、外部機器から入力した映像信号がパーソナルコンピュータ等からのデジタル画像信号の場合には、例えばプレゼンテーションにて用いられるスライド的な画像であると判断し、図５（Ａ）に示すようなクッキリとした高解像度感のある画像に画質調整する。また、制御装置８０は、外部機器から入力した映像信号がビデオ再生装置等からのビデオ画像信号の場合には、例えばホームシアターとして利用する映画やアニメ等の画像であると判断し、図５（Ｂ）に示すようなブラックマトリックス領域ＢＡを消しつつも高解像度を維持しつつ滑らかな画像に画質調整する。
なお、図４（Ａ）および図４（Ｂ）に示す第１複屈折性部材６３および第２複屈折性部材６４の移動位置は、上述した位置に限らない。また、映像信号に基づく画質調整を実施する際には、第１複屈折性部材６３および第２複屈折性部材６４の移動位置を予め図示しないメモリ等に設定入力しておき、制御部８２が前記メモリに記憶された情報に基づいて第１複屈折性部材６３および第２複屈折性部材６４を所定の移動位置に移動させる構成を採用できる。また、この際、メモリに記憶された情報は、例えばユーザによる操作パネル８２１Ａによる設定入力により、適宜、変更可能に構成されている。このため、上述した画質調整制御では、ユーザの好みに応じた画質に調整されることとなる。
【００３８】
〔ユーザによる設定入力に基づく画質調整制御〕
プロジェクタ１が駆動し、スクリーン上に画像が投影されている際、ユーザが操作パネル８２１Ａを操作し、投影画像の画質調整を実施する旨の情報を設定入力すると、操作パネル８２１Ａから制御装置８０に設定入力情報としての操作信号が出力される。
制御装置８０は、入力した操作信号に基づく投影画像の画質調整量を認識し、認識した画質調整量に基づいて駆動部８２３Ａに駆動信号を出力し、第１複屈折性部材６３および第２複屈折性部材６４を認識した画質調整量に基づく所定量だけ移動させる。
ここで、画質調整量の認識は、例えば、ユーザが操作パネル８２１Ａに直接、画質調整量を入力し、入力された画質調整量を制御装置８０が認識する構成としてもよい。また、例えば、操作パネル８２１Ａに画質調整用ボタンを設けておき、ユーザが画質調整用ボタンを押下し続けた時間に応じて制御装置８０が画質調整量を認識する構成としてもよい。
具体的に、ユーザの設定入力に基づく画質調整制御では、制御装置８０は、画質調整量に基づく所定量だけ第１複屈折性部材６３および第２複屈折性部材６４を移動させるので、図４（Ｃ）に示すように、上述した例えば小さい分離幅Ｗ１〜大きい分離幅Ｗ２の範囲内で画質調整量に応じて常光線および異常光線の分離幅Ｗ３を変更可能とする。
そして、この結果、図５（Ｃ）に示すように、常光線に対応する画素ＰＸ０および異常光線に対応する画素ＰＸ１の位置ずれ量ＤＶ３が、例えば小さい位置ずれ量ＤＶ１（図５（Ａ））〜大きい位置ずれ量ＤＶ２（図５（Ｂ））の範囲で変更可能となる。
【００３９】
上述した第１実施形態においては、液晶パネル４２の光路後段には複屈折性部材６２が配置され、この複屈折性部材６２は、照明光軸Ａ、およびこの照明光軸Ａに直交する方向に対して傾斜した光学軸６２Ａを有するので、液晶パネル４２から射出された複屈折性部材６２に入射した光束を常光線および異常光線に分離できる。このため、液晶パネル４２から射出される光束を複屈折性部材６２を透過させることで、ブラックマトリックス領域ＢＡを埋めるように画素ＰＸ１をずらすことができるだけでなく、ブラックマトリックス領域ＢＡの継ぎ目のないあるいは目立たない連続的な滑らかな画像を安定した状態で投射できるとともに、輝度低下や輝度むらの少ない投影画像を形成できる。
また、複屈折性部材６２を構成する第１複屈折性部材６３および第２複屈折性部材６４は、照明光軸Ａと交差する矢印Ｄ３方向に移動自在に構成され、移動した際に複屈折性部材６２全体での照明光軸Ａ位置での厚み寸法が異なるので、第１複屈折性部材６３および第２複屈折性部材６４を移動すると異常光線の光路長が変化して複屈折性部材６２からの異常光線の射出位置がずれ、常光線および異常光線の分離幅Ｗ１，Ｗ２，Ｗ３が可変となる。このため、第１複屈折性部材６３および第２複屈折性部材６４を移動させることで画素ＰＸ１のずれ量ＤＶ１，ＤＶ２，ＤＶ３が可変となり、投影画像における画素の見え方を任意に変更可能とする。
【００４０】
ここで、複屈折性部材６２は、第１複屈折性部材６３の光束入射側端面、および第２複屈折性部材６４の光束射出側端面が平行となるように照明光軸Ａ上で並列配置しているので、複屈折性部材６２に入射した光束と、複屈折性部材６２から射出される光束とを同一方向に設定できる。したがって、汎用のプロジェクタにおいて、液晶パネル４２、および投射光学装置５０等のレイアウトを変更する必要がない。
また、複屈折性部材６２が第１複屈折性部材６３および第２複屈折性部材６４の２体で構成されているので、最低限の個数で、複屈折性部材６２に入射した光束と複屈折性部材６２から射出される光束とを同一方向に設定できる。
【００４１】
さらに、第１複屈折性部材６３および第２複屈折性部材６４がそれぞれ同一方向の光学軸６２Ａを有し、第１複屈折性部材６３の光束射出側端面、および第２複屈折性部材６４の光束入射側端面が照明光軸Ａに直交する平面に対してそれぞれ矢印Ｄ３方向に傾斜しているので、１つの複屈折性部材６３を所定の平面で分割することで、第１複屈折性部材６３および第２複屈折性部材６４を容易に製造できる。
さらにまた、第１複屈折性部材６３の光束射出側端面、および第２複屈折性部材６４の光束入射側端面が互いに当接するので、複屈折性部材６２をコンパクトにまとめることができるとともに、第１複屈折性部材６３および第２複屈折性部材６４を矢印Ｄ３方向に容易に移動できる。
また、第１複屈折性部材６３および第２複屈折性部材６４がそれぞれ同一方向の光学軸６２Ａを有しているので、複屈折性部材６２をコンパクトにまとめつつ、可変とする光束の分離幅を大きく設定できる。
【００４２】
そして、第１複屈折性部材６３および第２複屈折性部材６４の光学軸６２Ａは、照明光軸Ａおよび移動方向Ｄ３を含む平面内に含まれるので、移動方向Ｄ３に液晶パネル４２から射出された光束を分離できる。すなわち、第１複屈折性部材６３および第２複屈折性部材６４の移動方向Ｄ３と画素ＰＸ１のずれ方向とを略同一方向とすることができ、第１複屈折性部材６３および第２複屈折性部材６４の移動量と画素ＰＸ１の画素ずらし量との関係を認識しやすく、複屈折性部材６２の設計を容易とする。
ここで、移動方向Ｄ３は、投射方向と直交する平面内において、＋Ｘ方向および＋Ｙ方向とそれぞれなす角度が４５°となる方向に設定されているので、画素ＰＸ１を画素ＰＸ０に対して斜め方向にずらすことができる。したがって、移動方向Ｄ３をＸ方向またはＹ方向に設定し、画素ＰＸ１を画素ＰＸ０に対して縦方向または横方向にずらす構成と比較して、ブラックマトリックス領域ＢＡを埋める面積を大きくでき、ブラックマトリックス領域ＢＡの継ぎ目のないあるいは目立たない連続的な滑らかな画像を良好に形成できる。
また、第１複屈折性部材６３および第２複屈折性部材６４の光学軸６２Ａは、照明光軸Ａに対して４５°傾斜しているので、液晶パネル４２から射出される光束を良好に分離できる。
【００４３】
そしてまた、複屈折性部材６２がクロスダイクロイックプリズム４５および投射光学装置５０の間に配置されるので、液晶パネル４２が３つで構成されている場合であっても、複屈折性部材６２を１つのみ設けるだけで、投影されるカラー画像における画素の見え方を任意に変更可能とする。また、このような構成とすることで、各液晶パネル４２Ｒ，４２Ｇ，４２Ｂとクロスダイクロイックプリズム４５との間にそれぞれ複屈折性部材６２を設ける構成と比較して、部材を省略でき、プロジェクタ１の小型化も図れる。
【００４４】
ところで、クロスダイクロイックプリズム４５から射出された光束を直接、複屈折性部材６２に入射させた場合には、Ｇ色光と、Ｒ，Ｂ色光とが、クロスダイクロイックプリズム４５のＧ色光側の光束入射側端面に貼り付けられた位相差板により偏光軸が直交しているので、複屈折性部材６２を透過させた場合かつ、図２のＡＧ１またはＡＧ２＝０の場合、Ｒ，Ｂ色光が常光線、Ｇ色光が異常光線となったり、逆に、Ｇ色光が常光線、Ｒ，Ｂ色光が異常光線となり、Ｒ，Ｂ色光に対応する画素、または、Ｇ色光に対応する画素のみが画素ＰＸ１としてずれる。また、図２のＡＧ１＝ＡＧ２の場合は良好に機能するが、ＡＧ１≠ＡＧ２の場合は分離したＲ，Ｇ，Ｂ色光のバランスが変化してしまう。ただし、ダイクロイックプリズム４５への入射光束の偏光が揃っている場合は、ＡＧ１，ＡＧ２に関係なく良好に機能する。
本実施形態では、クロスダイクロイックプリズム４５および複屈折性部材６２の間には、１／４波長板６１が配置されているので、直線偏光光束である各色光を円偏光光束とすることができ、複屈折性部材６２にて常光線および異常光線に良好に分離できる。また、Ｒ，Ｇ，Ｂ各色光を良好に分離し、各色光相互の画素ずれのない良好なカラー画像を投射できる。
【００４５】
そしてさらに、制御装置８０により複屈折性部材６２が駆動制御されるので、外部機器から入力した映像信号、および、ユーザが操作パネル８２１Ａに設定入力した画質調整量に応じた適切な位置に、複屈折性部材６２を自動的に移動させることができ、ユーザの好みに応じた画質に調整できる。したがって、プロジェクタ１の利便性が向上する。
【００４６】
[第２実施形態]
以下、本発明の第２実施形態を図面に基づいて説明する。
以下の説明では、前記第１実施形態と同様の構造および同一部材には同一符号を付して、その詳細な説明は省略または簡略化する。
前記第１実施形態では、複屈折性部材６２は、第１複屈折性部材６３および第２複屈折性部材６４の２体で構成され、該複屈折性部材６２全体での照明光軸Ａ位置の厚み寸法を変更することで、投影画像の画質調整を実施している。
これに対して第２実施形態では、複屈折性部材７２は、４つの複屈折性部材から構成され、該複屈折性部材７２全体での照明光軸Ａ位置の厚み寸法を変更することなく、投影画像の画質調整を実施可能とするものである。複屈折性部材７２以外の構成は、前記第１実施形態と同様の構成とする。
【００４７】
図６は、第２実施形態に係る複屈折性部材７２の構造の一例を示す図である。なお、図６では、前記第１実施形態で説明した図２と同様に、ＸＹＺ直交座標系を採用する。具体的に、図６（Ａ）は、複屈折性部材７２を光束入射側から見た平面図である。図６（Ｂ）は、図６（Ａ）において、ＸＹ平面内における−Ｘ方向および＋Ｙ方向とそれぞれなす角度ＡＧ１，ＡＧ２が４５°となる方向Ｄ１から複屈折性部材７４を見た図である。
複屈折性部材７２は、前記第１実施形態で説明した複屈折性部材６２と同様に、１／４波長板６１から射出される光束を常光線および異常光線に分離して、画質調整を実施するものである。この複屈折性部材７２は、前記第１実施形態で説明した複屈折性部材６２と同様に、図６に示すように、照明光軸Ａ（Ｚ軸）と略同一方向の軸を有する円柱形状を有している。この複屈折性部材７２は、図６（Ｂ）に示すように、第１複屈折性部材７３、第２複屈折性部材７４、第３複屈折性部材７５、および第４複屈折性部材７６を備える。
【００４８】
第１複屈折性部材７３および第２複屈折性部材７４は、前記第１実施形態で説明した第１複屈折性部材６３および第２複屈折性部材６４と同様の形状を有し、その光学軸７２Ａ１（図６（Ｂ））も同様に矢印Ｄ３方向および照明光軸Ａを含む平面内で照明光軸Ａに対して４５°傾斜するように形成されている。
第３複屈折性部材７５および第４複屈折性部材７６は、第１複屈折性部材７３および第２複屈折性部材７４とそれぞれ略同一形状を有し、異なる点は、その光学軸７２Ａ２（図６（Ｂ）が矢印Ｄ３方向および照明光軸Ａを含む平面内で第１複屈折性部材７３および第２複屈折性部材７４の光学軸７２Ａ１と直交するように形成されている点のみである。
【００４９】
これら複屈折性部材７２のうち、第２複屈折性部材７４の光束射出側端面および第３複屈折性部材７５の光束入射側端面が固着され、第２複屈折性部材７４および第３複屈折性部材７５が一体化されている。
そして、第１複屈折性部材７３および第４複屈折性部材７６は、照明光軸Ａ上の所定位置に固定される。また、第２複屈折性部材７４および第３複屈折性部材７５は、第１複屈折性部材７３および第４複屈折性部材７６に対して、互いの斜面７３Ａ，７４Ａ、および斜面７５Ａ，７６Ａに沿って、矢印Ｄ３方向に移動自在に構成されている。すなわち、第２複屈折性部材７４および第３複屈折性部材７５を第１複屈折性部材７３および第４複屈折性部材７６に対して移動させても、複屈折性部材７２における照明光軸Ａ位置の厚み寸法は変化しない。
本実施形態では、第２複屈折性部材７４および第３複屈折性部材７５は、具体的な図示は省略するが、ステッピングモータ、パルスモータ等の駆動部により矢印Ｄ３方向に移動自在に構成されているものとする。なお、これら駆動部により第２複屈折性部材７４および第３複屈折性部材７５を自動で移動させる構成の他、手動にて第２複屈折性部材７４および第３複屈折性部材７５を移動させる構成を採用してもよい。
【００５０】
図７は、複屈折性部材７２による入射光束の分離状態の一例を示す図である。なお、図７は、図４と同様に、異常光線の屈折率をｎｅ、常光線の屈折率をｎｏとした時、ｎｅ＞ｎｏの場合を示している。
例えば、図７の実線で示すような状態では、１／４波長板６１から射出された円偏光光束の直交する２つの直線偏光成分Ｓ，Ｐのうち、その偏光面に複屈折性部材７２の光学軸７２Ａ１，７２Ａ２が含まれない直線偏光成分Ｓは、前記第１実施形態と同様に、常光線となり、複屈折性部材７２内にて屈折することなく透過する。
一方、２つの直線偏光成分Ｓ，Ｐのうち、その偏光面に複屈折性部材７２の光学軸７２Ａ１，７２Ａ２が含まれる直線偏光成分Ｐは、前記第１実施形態と同様に異常光線となる。ここで、この異常光線は、第１複屈折性部材７３および第２複屈折性部材７４内において、光学軸７２Ａ１方向に屈折して進む。さらに、この異常光線は、第３複屈折性部材７５および第４複屈折性部材７６内において、第１複屈折性部材７３および第２複屈折性部材７４の進む方向に対して光学軸７２Ａ２方向に屈折して進み、第４複屈折性部材７６の光束射出側端面から直線偏光成分Ｓと平行するように射出される。
以上のように、１／４波長板６１から射出された光束は、所定の分離幅Ｗ４を有する常光線および異常光線に分離される。
【００５１】
また、図７の実線で示す状態から、図７の二点鎖線で示すように第２複屈折性部材７４および第３複屈折性部材７５を矢印Ｄ３方向に移動させた場合には、上記同様に、１／４波長板６１から射出された光束が常光線および異常光線に分離されるが、図７の一点鎖線で示すように異常光線における第２複屈折性部材７４、第３複屈折性部材７５、および第４複屈折性部材７６を通る際の光路の長さが実線で示した状態での光路の長さとそれぞれ異なることとなり、すなわち、常光線および異常光線の分離幅Ｗ５が上記の分離幅Ｗ４と異なるものとなる。
そして、上述したように、第１複屈折性部材７３および第４複屈折性部材７６に対して第２複屈折性部材７４および第３複屈折性部材７５を移動させることで、分離幅が変更され、前記第１実施形態と同様に、投影画像の画質が調整される。
なお、制御装置８０による画質調整制御は、前記第１実施形態で説明した画質調整制御と略同様に実施でき、詳細な説明を省略する。
【００５２】
上述した第２実施形態においては、前記第１実施形態と比較して、第１複屈折性部材７３の光束射出側端面、第２複屈折性部材７４の光束入射側端面、第３複屈折性部材７５の光束射出側端面、および第４複屈折性部材７６の光束入射側端面は、照明光軸Ａに直交する平面に対してそれぞれ矢印Ｄ３方向に傾斜し、第２複屈折性部材７４および第３複屈折性部材７５が矢印Ｄ３方向に移動するので、第２複屈折性部材７４および第３複屈折性部材７５を移動した場合であっても、複屈折性部材７２全体での照明光軸Ａ位置の厚み寸法を同一状態で維持できる。
また、第２複屈折性部材７４の光学軸７２Ａ１、および第３複屈折性部材７５の光学軸７２Ａ２は、それぞれ異なる方向に設定されているので、第２複屈折性部材７４および第３複屈折性部材７５を矢印Ｄ３方向に移動させることで、第１複屈折性部材７３内にて分離された異常光線において、第２複屈折性部材７４を透過する際の光路長が異なるものとなるとともに、第３複屈折性部材７５を透過する際の光路長も異なるものとなり、第４複屈折性部材７６からの異常光線の射出位置がずれ、複屈折性部材７２から射出される光束の分離幅Ｗ４，Ｗ５が可変となる。
【００５３】
ここで、複屈折性部材７２の光学軸７２Ａ１，７２Ａ２は、移動方向Ｄ３および照明光軸Ａを含む平面内に設定されているので、第２複屈折性部材７４および第３複屈折性部材７５を移動させた場合でも、複屈折性部材７２を透過する際の常光線の光路長が変化することがない。このため、第２複屈折性部材７４および第３複屈折性部材７５を移動させた場合であっても、常光線の光路長が変化することがなく、投射光学装置５０に対する各液晶パネル４２のバックフォーカス位置が変更されず、投射光学装置５０にてフォーカス状態の良好な画像を投影できる。
【００５４】
また、複屈折性部材７２の光学軸７２Ａ１，７２Ａ２は、照明光軸Ａおよび移動方向Ｄ３を含む平面内に含まれるので、移動方向Ｄ３に液晶パネル４２から射出された光束を分離できる。すなわち、第２複屈折性部材７４および第３複屈折性部材７５の移動方向Ｄ３と画素ＰＸ１のずれ方向とを略同一方向とすることができ、第２複屈折性部材７４および第３複屈折性部材７５の移動量と画素ＰＸ１の画素ずらし量との関係を認識しやすく、複屈折性部材７２の設計を容易とする。
さらに、第１複屈折性部材７３および第２複屈折性部材７４の光学軸７２Ａ１が照明光軸Ａに対して４５°傾斜し、第３複屈折性部材７５および第４複屈折性部材７６の光学軸７２Ａ２と直交するので、液晶パネル４２から射出される光束を良好に分離できる。
【００５５】
以上、本発明について好適な実施形態を挙げて説明したが、本発明は、これらの実施形態に限定されるものではなく、本発明の要旨を逸脱しない範囲において種々の改良並びに設計の変更が可能である。
前記各実施形態では、複屈折性部材６２，７２は、それぞれ２体、４体で構成されていたが、これに限らず、１体のみで構成しても本発明の目的を十分に達成できる。
前記各実施形態において、複屈折性部材６２，７２の配置位置は、液晶パネル４２の光路後段であれば、いずれの位置でもよく、各液晶パネル４２とクロスダイクロイックプリズム４５との間にそれぞれ配置してもよく、投射光学装置５０内、投射光学装置５０の光路後段に配置してもよい。
【００５６】
前記第１実施形態において、光学軸６２Ａは、照明光軸Ａ、およびこの照明光軸Ａと直交する方向に対して傾斜していれば、いずれの方向であっても構わない。また、第１複屈折性部材６３および第２複屈折性部材６４がそれぞれ同一方向の光学軸６２Ａを有する構成であったが、これに限らず、それぞれ異なる方向の光学軸を有する構成としてもよい。さらに、第１複屈折性部材６３および第２複屈折性部材６４は、互いに当接するように構成されていたが、互いに離間配置するように構成してもよい。さらにまた、複屈折性部材６２の形状は、円柱形状であったが、これに限らず、例えば、四角柱状の形状等のその他の形状を採用してもよい。また、第１複屈折性部材６３および第２複屈折性部材６４は、同一形状に限らず、異なる形状となるように構成してもよい。
【００５７】
前記第２実施形態では、第２複屈折性部材７４および第３複屈折性部材７５の光学軸は、照明光軸Ａ、およびこの照明光軸Ａと直交する方向に対して傾斜し、それぞれ異なる方向となるように設定されていればよく、前記第２実施形態で説明した光学軸７２Ａ１，７２Ａ２の方向に限らない。また、各複屈折性部材７３，７４，７５，７６は、互いに当接するように構成されていたが、互いに離間配置するように構成してもよい。さらに、複屈折性部材７２の形状は、円柱形状であったが、これに限らず、例えば、四角柱状の形状等のその他の形状を採用してもよい。さらにまた、各複屈折性部材７３，７４，７５，７６は、同一形状に限らず、異なる形状となるように構成してもよい。
【００５８】
前記各実施形態において、１／４波長板６１を省略した場合でも本発明の目的を十分に達成できる。
前記各実施形態では、第１複屈折性部材６３および第２複屈折性部材６４、ならびに、第２複屈折性部材７４および第３複屈折性部材７５の移動方向Ｄ３は、ＸＹ平面内において、Ｘ方向およびＹ方向とそれぞれなす角度が４５°となる方向であったが、その他の方向に設定してもよい。
例えば、ＸＹ平面内において、Ｘ方向およびＹ方向とそれぞれなす角度が４５°以外の角度で傾斜した方向に移動させる構成としてもよい。
また、例えば、ＸＹ平面内において、Ｘ方向、またはＹ方向に移動させる構成としてもよい。
【００５９】
また、前記第１実施形態において、複屈折性部材６２または画質調整部６０を複数設ける構成としてもよい。この際、複数の複屈折性部材６２における移動方向を同一方向に設定してもよく、異なる方向に設定してもよい。前記第２実施形態でも同様である。
【００６０】
前記第２実施形態において、第３複屈折性部材７５および第４複屈折性部材７６を光学軸の存在しない透光性部材で構成してもよい。
具体的に、図８は、第３複屈折性部材７５および第４複屈折性部材７６を透光性部材とした構成を示す図である。
この際、第１透光性部材７５’および第２透光性部材７６’の形状は、第３複屈折性部材７５および第４複屈折性部材７６と同様のものとする。また、第２複屈折性部材７４および第１透光性部材７５’は、一体化され、前記第２実施形態と同様に、第１複屈折性部材７３および第２透光性部材７６’に対して移動自在に構成されている。この際、第１透光性部材７５’および第２透光性部材７６’の屈折率は、第１複屈折性部材７３および第２複屈折性部材７４の屈折率に近接させることが好ましい。
このように構成した場合であっても、前記第２実施形態と略同様の作用・効果を享受できる。
なお、上述した構成では、前記第２実施形態において、第３複屈折性部材７５および第４複屈折性部材７６を透光性部材としていたが、第１複屈折性部材７３および第２複屈折性部材７４を、上記同様に、透光性部材で構成した場合であっても、前記第２実施形態と略同様の作用・効果を享受できる。
【００６１】
また、第１実施形態でも同様に、第２複屈折性部材６４を光学軸が存在しない透光性部材で構成してもよい。
具体的に、図９は、第２複屈折性部材６４を透光性部材とした構成を示す図である。
この際、第１透光性部材７４’の形状は、第２複屈折性部材６４と同様のものとする。また、第１複屈折性部材６３は、第１透光性部材７４’に対して前記第１実施形態で説明したように移動自在に構成されている。この際、第１透光性部材６４’の屈折率は、第１複屈折性部材６３の屈折率に近接させることが好ましい。
このように構成した場合であっても、前記第１実施形態と略同様の作用・効果を享受できる。
なお、上述した構成では、前記第１実施形態において、第２複屈折性部材６４を透光性部材としていたが、第１複屈折性部材６３を透光性部材として構成した場合であっても、第２複屈折性部材６４を前記透光性部材に対して移動自在に構成すれば、前記第１実施形態と略同様の作用・効果を享受できる。
【００６２】
前記各実施形態では、３つの液晶パネル４２を用いたプロジェクタ１の例のみを挙げたが、本発明は、１つの液晶パネルのみを用いたプロジェクタ、２つの液晶パネルのみを用いたプロジェクタ、あるいは、４つ以上の液晶パネルを用いたプロジェクタにも適用可能である。
前記各実施形態では、光入射面と光射出面とが異なる透過型の液晶パネルを用いていたが、光入射面と光射出面とが同一となる反射型の液晶パネルを用いてもよい。
前記各実施形態では、光変調装置として液晶パネルを用いていたが、マイクロミラーを用いたデバイスなど、液晶以外の光変調素子を用いてもよい。この場合は、光束入射側および光束射出側の偏光板は省略できる。
前各記実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【００６３】
前記各実施形態では、複屈折性部材６２，７２をプロジェクタに搭載した構成を説明したが、これに限らず、液晶、プラズマ、ＥＬ（エレクトロルミネッセンス）等の如く画素が離散的なディスプレイや、撮像画素が離散的なＣＣＤ（電荷結合素子）等を有する撮像装置等に搭載してもよい。
例えば、ＣＣＤを有する撮像装置に複屈折性部材６２，７２を搭載する場合には、以下のように実施する。
すなわち、従来の前記撮像装置では、画像情報の空間周波数の高い成分を除去し、モアレ縞および色偽信号等の問題を回避するために、ＣＣＤとレンズとの間には、光学ローパスフィルタとして水晶が配置されている。ここで、前記水晶を本発明の複屈折性部材６２，７２に替えることで、カットオフ周波数を可変とした撮像装置を実現できる。このような構成により、画素数の異なるＣＣＤやレンズの交換を行った際でも同じ複屈折性部材６２，７２で対応が可能となる、という効果がある。
【００６４】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【産業上の利用可能性】
【００６５】
本発明のプロジェクタは、投影画像における画素の見え方を任意に変更可能とするとともに、輝度低下や輝度むらの少ない投影画像を形成できるため、ホームシアターやプレゼンテーションにて有効に利用できる。
【図面の簡単な説明】
【００６６】
【図１】第１実施形態におけるプロジェクタの概略構成を模式的に示す図。
【図２】前記実施形態における複屈折性部材の構造の一例を示す図。
【図３】前記実施形態における制御装置による制御構造を模式的に示すブロック図。
【図４】前記実施形態における画質調整を実施する制御動作を説明するための図。
【図５】前記実施形態における画質調整を実施する制御動作を説明するための図。
【図６】第２実施形態に係る複屈折性部材の構造の一例を示す図。
【図７】前記実施形態における複屈折性部材による入射光束の分離状態の一例を示す図。
【図８】前記第２実施形態の変形例を示す図。
【図９】前記第１実施形態の変形例を示す図。
【符号の説明】
【００６７】
１・・・プロジェクタ、１１・・・光源装置、４２，４２Ｒ，４２Ｇ，４２Ｂ・・・液晶パネル（光変調装置）、４５・・・クロスダイクロイックプリズム（色合成光学装置）、５０・・・投射光学装置、６１・・・１／４波長板、６２，７２・・・複屈折性部材、６３，７３・・・第１複屈折性部材、６４，７４・・・第２複屈折性部材、６４’，７５’・・・第１透光性部材、７０・・・制御装置、７５・・・第３複屈折性部材、７６・・・第４複屈折性部材、７６’・・・第２透光性部材、６２Ａ，７２Ａ１，７２Ａ２・・・光学軸、Ａ・・・照明光軸、Ｄ３・・・移動方向。
【図１】
2005266466.tif 000003
【図２】
2005266466.tif 000004
【図３】
2005266466.tif 000005
【図４】
2005266466.tif 000006
【図５】
2005266466.tif 000007
【図６】
2005266466.tif 000008
【図７】
2005266466.tif 000009
【図８】
2005266466.tif 000010
【図９】
2005266466.tif 000011